(57)【要約】【課題】　この発明は、伸縮アーム部の先端に照明部を設けた伸縮式アームにキャップ部を発光部側と伸縮アーム側とのいずれかに適宜嵌め込むことができるようにした構造に関する。【解決手段】　伸縮式懐中電灯１は、伸縮アーム部２の先端に電源４と照明部３となる発光部５を設けると共に、該発光部５の先端には着脱可能なキャップ状のキャップ部１０を設けてなり、該キャップ部１０は、先端に磁石１７やレンズ１９などを取り付けておき、不使用時に伸縮アーム部２の基端に嵌着することができるようになっていることを特徴とする。【選択図】　図１
2004111375.tif 000002
【特許請求の範囲】
【請求項１】
把持部を有する伸縮アーム部の先端に照明部が設けられ、スイッチの切り換えにより照明を点けたり消したりしうる伸縮式懐中電灯において、
　照明部の先端に、着脱可能なキャップ部を設けてなることを特徴とする伸縮式懐中電灯。
【請求項２】
把持部の基端と、照明部の先端とに、着脱可能なキャップ部を設け、該キャップ部を、前記照明部の先端に取り付けてカバーとなし、また把持部の基端に取り付けて収納しうることを特徴とする請求項１に記載の伸縮式懐中電灯。
【請求項３】
把持部の基端と、照明部の先端とに、前記キャップ部を着脱可能に取り付けるための被取付部をそれぞれ形成してなることを特徴とする請求項２に記載の伸縮式懐中電灯。
【請求項４】
キャップ部には、磁石、照明を着色する着色要素、照明の光を変化させるレンズなどの機能部が設けられていることを特徴とする請求項１、２または３に記載の伸縮式懐中電灯。
【請求項５】
キャップ部の周壁が、透明ないし半透明の素材、または不透明の素材からなっていることを特徴とする請求項４に記載の伸縮式懐中電灯。
【請求項６】
把持部を有する伸縮アーム部の先端に照明部が設けられ、スイッチの切り換えにより照明を点けたり消したりしうる伸縮式懐中電灯において、
　照明部の先端にキャップ状のカバーが固着されており、該カバー内に略ドーナツ状の磁石が装着されていることを特徴とする伸縮式懐中電灯。
【請求項７】
照明部が、ボタン電池を収納する電池収納部と、該電池収納部に着脱可能に連結されると共に、前記ボタン電池と通電して発光する発光部を保持した発光保持部とからなっていることを特徴とする請求項１ないし６のいずれかに記載のいずれかの伸縮式懐中電灯。
【請求項８】
発光保持部の内周壁または外周壁にネジその他の一方の連結部を設け、電池収納部の外周壁または内周壁に上記一方の連結部に対応するネジその他の他方の連結部を設けておき、発光保持部を電池収納部に連結することにより発光部に接続された導体がボタン電池に接触して通電し、連結を緩めて発光保持部を電池収納部から僅かに離すことにより導体がボタン電池から離れて通電が遮断されるスイッチ構造を設けてなることを特徴とする請求項７に記載の伸縮式懐中電灯。
【請求項９】
伸縮アーム部の外筒部が把持部となっていることを特徴とする請求項１または６に記載の伸縮式懐中電灯。
【請求項１０】
電池または蓄電池等の電源を収納する電源収納部を伸縮アーム部の基端側に連接しており、電源収納部のケーシングが把持部となっていることを特徴とする請求項１または６に記載の伸縮式懐中電灯。
【請求項１１】
照明部が関節部を介して伸縮アームの先端に取り付けられており、前記関節部が枢支構造または球面軸受構造からなって照明部の角度を変化させることができることを特徴とする請求項１または６に記載の伸縮式懐中電灯。
【請求項１２】
把持部にクリップが一体に取り付けられていることを特徴とする請求項１、６または１１に記載の伸縮式懐中電灯。
【請求項１３】
把持部の基端側に磁石が内蔵または固着されており、把持部または磁石の底面がほぼ扁平となって鉄板などの磁性体上に磁着しうることを特徴とする請求項１、２、６または１１のいずれかに記載の伸縮式懐中電灯。
【発明の詳細な説明】
【技術分野】
【０００１】
　この発明は、伸縮アーム部の先端に照明部を設けた伸縮式懐中電灯の改良に関し、特にカバーを発光部側、または発光部側と伸縮アーム側とのいずれかに適宜嵌め込むことができるようにした構造に関する。
【背景技術】
【０００２】
　従来より、テレスコープ型の伸縮アーム部の先端に照明部を設け、該照明部を伸縮動作しうる懐中電灯は種々構成のものが提案されている。
　例えば、電池または蓄電池等の電源を収納する電源収納部と、該電源収納部に連設された伸縮アーム部と、該伸縮アーム部の先端に取り付けられて前記電源から給電される外部照明部とを設けたもの（特開平９−２３７５０１号）や、伸縮アーム部の先端に電源部と照明部とを設けたもの（実用新案登録第３０６７１０５号）などが提案されている。
　しかし、従来の伸縮式懐中電灯では、照明部を伸び縮みさせるだけの構成であるため、暗所を照らすだけの用途に限定されてしまう欠点があった。
　また、照明カバーは照明部を覆うように固定されているので、照明カバーに色などの変化をつけることができない。また照明カバーに磁石を固定した場合には、常に照明カバーの先端に磁力が生じるので、所望方向を照明したい場合にも付近に磁性体があると磁石が磁着してしまい、照明方向を任意に制御しずらいという問題があった。
【特許文献１】特開平９−２３７５０１号
【特許文献２】実用新案登録第３０６７１０５号
【発明の開示】
【発明が解決しようとする課題】
【０００３】
　本発明は、上記問題点を解消すべく創案されたものであって、その主たる課題は、伸縮アーム部の先端に電源と、照明部となる発光体を設けると共に、該発光体の先端には着脱可能なキャップ部からなる照明カバーを設けており、該キャップ部は、不使用時に伸縮アーム部の基端に嵌着することができるようになっている伸縮式懐中電灯を提供することにある。
　このキャップ部は、所定の色彩とすることにより、色付きの照明を行うことができる。
　また、キャップ部の先端に磁石を固着することにより、必要な時に、ワンタッチで発光部に装着して、暗いところに落としたビスや小物の鋲などの部品を、発光部で照らしながら簡単に磁着して拾うことができる。
　このキャップ部の不使用時には、伸縮アーム部の基端に嵌め込んで収納することができ、利便性に優れると共に、広い用途に使用することができる。
　例えば、自動車の整備点検用懐中電灯や機械の修理点検用懐中電灯などの業務用として、また、マイカーの点検用懐中電灯や、家庭内での多目的懐中電灯として種々の用途に使用できる。
　また、照明部は伸縮アーム部との間に関節部を設けて照明する方向を変位することができる。
　更に、磁石は、伸縮式懐中電灯の前方、または後方に固着するものでもよい。
【課題を解決するための手段】
【０００４】
　上記課題を解決するために、請求項１の発明では、
　把持部を有する伸縮アーム部の先端に照明部が設けられ、スイッチの切り換えにより照明を点けたり消したりしうる伸縮式懐中電灯において、
　照明部の先端に、着脱可能なキャップ部を設けてなる、という技術的手段を講じている。
　また、請求項２の発明では、
　把持部の基端と、照明部の先端とに、着脱可能なキャップ部を設け、
　該キャップ部を、前記照明部の先端に取り付けてカバーとなし、また把持部の基端に取り付けて収納しうる、という技術的手段を講じている。
　また、請求項３の発明では、
　前記把持部の基端と、照明部の先端とに、前記キャップ部を着脱可能に取り付けるための被取付部をそれぞれ形成してなる、という技術的手段を講じている。
　請求項４の発明では、
　前記キャップ部には、磁石、照明を着色する着色要素、照明の光を変化させるレンズなどの機能部が設けられている、という技術的手段を講じている。
　また、請求項５の発明では、
　前記キャップ部の周壁が、透明ないし半透明の素材、または不透明の素材からなっている、という技術的手段を講じている。
　請求項６の発明では、
　把持部を有する伸縮アーム部の先端に照明部が設けられ、スイッチの切り換えにより照明を点けたり消したりしうる伸縮式懐中電灯において、
　照明部の先端にキャップ状のカバーが固着されており、該カバー内に略ドーナツ状の磁石が装着されている、という技術的手段を講じている。
　請求項７の発明では、
　前記照明部が、ボタン電池を収納する電池収納部と、該電池収納部に着脱可能に連結されると共に、前記ボタン電池と通電して発光する発光部を保持した発光保持部とからなっている、という技術的手段を講じている。
　また、請求項８の発明では、
　前記発光保持部の内周壁または外周壁にネジその他の一方の連結部を設け、電池収納部の外周壁または内周壁に上記一方の連結部に対応するネジその他の他方の連結部を設けておき、発光保持部を電池収納部に連結することにより発光部に接続された導体がボタン電池に接触して通電し、連結を緩めて発光保持部を電池収納部から僅かに離すことにより導体がボタン電池から離れて通電が遮断されるスイッチ構造を設けてなる、という技術的手段を講じている。
　請求項９の発明では、
　前記伸縮アーム部の外筒部が把持部となっている、という技術的手段を講じている。
　また、請求項１０の発明では、
　前記電池または蓄電池等の電源を収納する電源収納部を伸縮アーム部の基端側に連接しており、電源収納部のケーシングが把持部となっている、という技術的手段を講じている。
　更に、請求項１１の発明では、
　前記照明部が関節部を介して伸縮アームの先端に取り付けられており、前記関節部が枢支構造または球面軸受構造からなって照明部の角度を変化させることができる、という技術的手段を講じている。
　また、請求項１２の発明では、
　前記把持部にクリップが一体に取り付けられている、という技術的手段を講じている。
　請求項１３の発明では、
　前記把持部の基端側に磁石が内蔵または固着されており、把持部または磁石の底面がほぼ扁平となって鉄板などの磁性体上に磁着しうる、という技術的手段を講じている。
【発明の効果】
【０００５】
　以上のように、この発明の伸縮式懐中電灯によれば、キャップ部を、使用時には発光部の先端側に嵌合し、不使用時には、外筒部の基端側に嵌合することにより、常に伸縮式懐中電灯に取り付けた状態とすることができるので、不使用時にキャップ部を紛失することがなく、また使用時には、迅速に発光部に装着することができる。
　そして、キャップ部は、レンズにより照明範囲を広げたり、透光性のプラスチックカバーを用いて所定の色彩、例えば赤色とすることにより、伸縮可能な色付きの照明を行うことができ、非常灯や合図灯として用いることができる。
　磁石はキャップ部に装着して伸縮式懐中電灯の照明部または本体の後部に取り付けることができ、あるいは予め磁石をそれらの個所に固定しておくことができ、また照明部は関節部を設けて変位させることができるので整備や点検中にビスや小物の部品などを狭い所や、薄暗い所、手の届かない所などに落とした時でも、伸縮アーム部を伸ばして磁着させることで簡単に拾うことができる。また、明るい所ではマグネット付きの伸縮式ハンドとしても使用できる。
　磁着はキャップと一体にして伸縮式懐中電灯に着脱自在にしておけば、磁力の影響をきらうコンピュータやディスプレイ、磁気メモリーなどを扱う作業現場ではキャップを外すことで影響を与えることがない。
　一方、磁石を伸縮式懐中電灯に一体に固着しておけば着脱する必要がなく、紛失のおそれがない。
　また、関節部を設けることで、伸縮ロッドの延長方向だけでなく照射角度を自由に替えられるので、従来は照らすことができない奥が曲がっている個所も、簡単に照らせ、整備や点検が楽に効率よく行える。
　外筒部の基端に磁石を設けた場合には、例えば、自動車の整備や機械の修理作業などで照明が必要なときは、伸縮ロッド部を縮めて車のボディや、ボンネットの内側に磁着させて自立させることができ、照明角度も自由に変えられることで、両手を使っての作業が行える。
　また、クリップを備えた場合には、各種の整備や点検、メンテナンスの作業中に補助照明が必要となり、両手を使うときなどは、例えば、クリップを胸元のポケットに外側から掛けておき、伸縮ロッド部を伸ばし、照射角度も変えられるので、目的とする所を、簡単に照らしながら作業を行うことができる。また、クリップを利用して車の内や屋外でのメモ用補助照明として使うこともできる。
　更に、例えばマイカーや，タクシーなどの車両内で落とし物を探したり、車両のボディに立てて固定して照明角度を変えられるキャンドルライトとして使ったり、マイカーの点検用ライトとして、あるいはアウトドア用としても使用することができる。
【発明を実施するための最良の形態】
【０００６】
　以下に、本発明の伸縮式懐中電灯の好適実施例について図面を参照しながら説明する。
【実施例１】
【０００７】
　図１から図６は伸縮式懐中電灯１を示すものであって、スチール製からなっており、テレスコープ式の伸縮アーム部２と、該伸縮アーム部２の先端に設けられた照明部３と、キャップ部１０とから構成されている。
　伸縮アーム部２は、複数段（例えば６段）のテレスコープ型のロッドからなっており、最も外側に配置された外筒部２１を把持部Ｈとして使用する。
　この外筒部２１の下端（基端）側には、キャップ部１０を嵌合するため、段部を介してキャップ部１０の厚み分だけ小径に設定された第１被取付部１１が形成されている。
【０００８】
　次ぎに、照明部３は、伸縮アーム部２の先端に固定されており、本実施例では、照明部３は、伸縮アーム部２を短縮した際に照明部３が伸縮アーム部２と略同一径となって、一連の杆状となるように設定されている。
　この照明部３は、図７に示すように、ボタン電池４を収納する電池収納部３Ａと、前記ボタン電池４を電源として白色に発光するＬＥＤからなる発光部５を保持し、前記電池収納部３Ａに分離可能に連結される発光保持部３Ｂとからなっている。
【０００９】
　ここで、電池収納部３Ａは先端が開口する筒状からなっており、１または複数（図示例では３つ）のボタン電池がプラスチック製の筒Ｃ１の中に直列に収納されて、凹部に収納されている。
　また、発光保持部３Ｂは、後端が開口し先端に前記発光部５を挿入する孔部３１を有した略筒状からなっている。
　発光部５は、前記ボタン電池４の一方の極と接するためのスプリング状の導体６Ａと、他方の極と接続するために前記発光保持部３Ｂの内周壁と接するための突起状の導体６Ｂとが一体に固着されている。
　なお、符号Ｃ２は、前記孔部３１に嵌め込まれた絶縁性を有するカラーである。
【００１０】
　次に、本実施例では、電池収納部３Ａの先端側がやや小径となって外周壁にネジが刻設されており、これに対応する発光保持部３Ｂの後端側の内周壁には、上記ネジに螺合するネジが刻設されている。
　そこで、本実施例では、発光保持部３Ｂを回転して電池収納部３Ａとのネジを緩めることにより、前記導体６の先端をボタン電池４から離脱させて電源との回路を遮断し、発光保持部３Ｂを逆に回転してネジを締めることで前記回路を繋げて通電させるＯＮ−ＯＦＦ制御を行うスイッチ構造となっている。
　しかし、この発明では、発光部５を発光させる通電回路のスイッチの構造は上記実施例に限られるものではなく、その他公知のスイッチ手段を用いることができる。例えば一例として、スライド式やプッシュ式などの構造が挙げられる。
【００１１】
　次に、前記発光保持部３Ｂの先端側には、キャップ部１０を嵌合するため、段部を介してキャップ部１０の厚み分だけ小径に設定された第２被取付部１２が形成されている。
　そして上記第２被取付部１２と前記外筒部２１に形成された第１被取付部１１とが同一の大きさ（同一径）からなっており、キャップ部１０をいずれにも取り付けることができるようになっている。
　上記キャップ部１０は、一例を示すと、図８に示すように、前後が開口されて貫通するスチール製の筒体（断面は円形、楕円形、多角形など問わない）からなっており、その中途位置には内向きに僅かに突出する係止突部１５を有しており、また先端側には小径となる抜け止め用の絞り部１６が形成されており、その先端に環状の永久磁石１７が固定された構成からなっている。
【００１２】
　図示例では、上記磁石１７は断面梯形状となっており、キャップ部１０の絞り部１６先端は蟻溝状にかしめて磁石１７を係止している。
　この磁石１７の取付構造は特に限定されず、接着などで固定してもよいし、キャップ部１０に着脱可能となっていてもよい。
　そして、このキャップ部１０では、先端に環状の磁石１７を有しているので、必要な時に、ワンタッチで発光保持部３Ｂに装着し、キャップ部１０で発光部５の外周を覆うと共に、磁石１７中央の開口から発光部５の光を照らして、暗いところに落としたビスや小物の鋲などの部品を、簡単に磁着して拾うことができる。
【実施例２】
【００１３】
　次に、図９に示す別の実施例のキャップ部１０’では、筒体であって少なくとも発光部５の近傍に透明あるいは半透明のプラスチックからなる透明部１８が形成されており、またキャップ部１０’の先端には板状レンズまたは凹凸レンズなどのレンズ１９が固着されている。
　また、キャップ部１０’の内周壁には凹部１５ａが形成されており、伸縮式懐中電灯１の前記第１被取付部１１や第２被取付部１２（図示せず）には対応する凸部１５ｂが形成されて係脱自在となっている。
【００１４】
　上記構成からなっているので、キャップ部１０’を発光保持部３Ｂの第２被取付部１２に係止して取り付けることにより、発光部５の照明を前記レンズ１９を通して明るく照射することができる。
　逆に、キャップ部１０’の周壁を不透明とし、先端正面のレンズ部１９だけで照らすようにすれば光を集中させることができる。
　また、この発光部５のレンズ部１９、また必要に応じて透明あるいは半透明部分の周壁を、所定の色（例えば赤色）に彩色しておけば、キャップ部１０を警報灯用のアタッチメントとして利用することができる。
【００１５】
　即ち、警報灯として使用したいときは、キャップ部１０’を、前述のように発光保持部３Ｂの第２被取付部１２に係止して取り付ければ、発光部５によって赤色の光を照射することができる。
　また、不使用時には、前記キャップ部１０’を外して、外筒部２１の第１被取付部１１に係止して取り付ければ邪魔にならず収納することができ、また通常の懐中電灯として使用することができる。
　このようにキャップ部１０または１０’に種々の機能を有する機能部を取り付けることにより、懐中電灯の付加価値を高めることができ、また不使用時には外筒部２１に嵌合することで、次の使用まで一体的に収納することができる。
【実施例３】
【００１６】
　上記実施例の伸縮式懐中電灯１は、電池収納部３Ａを伸縮アーム部２の先端に設けた場合を例示したが、この発明では、前記特開平９−２３７５０１号で開示されているように伸縮アーム部の基端に電池収納部３Ａ’を連接し、電源として乾電池や蓄電池を用いる構造としてもよい（図１０参照）。
　また、発光部はＬＥＤに限らず、豆電球を用いるものでもよい。
　この場合、電池収納部３Ａ’のケーシングが把持部Ｈとなっており、前記第１被取付部１１は、把持部Ｈの基端に形成されている。
　また、スイッチＳを電池収納部３Ａ’に設けても良い。
　その他の構成は前記実施例と同様であるので、その説明を省略する。
【００１７】
　更に、上記実施例ではキャップ部の着脱手段として、筒体に係止部を設けた構造を例示したが、その他、キャップ部の内壁にネジ部を刻設しておき、これを取り付ける個所にも対応するネジ部を設けておく構成でもよい。
　あるいは、口紅などの化粧品のキャップのように係止手段を設けず圧入し、あるいは他の係止手段を用いて嵌脱できる構造でもよい。
　また、上記実施例では、発光部にライトカバーを設けていない構造を例示したが、この発明では発光部を覆うように透明なライトカバーを取り付けた構造であってもよい。
【００１８】
　また、上記実施例では、キャップ部が、把持部の基端と、照明部の先端とに着脱可能な構造について例示したが、この発明でキャップ部は照明部の先端のみ着脱可能な構造であってもよい（図示せず）。
　この実施例の場合、図１や図１０で示した把持部Ｈには第１被取付部１１が形成されているが、この第１被取付部１１を設けない把持部Ｈの構造となる。
　照明部の先端から外したキャップ部は、伸縮式懐中電灯とは分離して適宜に収納されてもよいし、あるいはチェーンや紐などの連結具を介して伸縮式懐中電灯に連結されるものであってもよい。
【実施例４】
【００１９】
　次ぎに、図１１に示す伸縮式懐中電灯１は、前記照明部３が関節部４０を介して伸縮アーム部２の先端に取り付けられた異なる実施例を示す。
　この実施例では、関節部４０として枢支構造が用いられており、一例として、照明部３の下端にアーム４１を突設し、伸縮アーム部２の先端に一対のブラケット４２を設けて上記アーム４１を枢着した構造からなっている。
　ここで伸縮アーム部２は、本実施例では旋回自在となっているので、伸縮アーム部２を中心にして周方向に旋回させ、所望旋回位置で前記関節部４０の枢着点を支点として照明部３を角運動させることができる。
　これにより、伸縮アーム部２の延長方向だけでなく、所望の角度で照射することができる。
　なお、図中Ｃは外筒部２１に設けたクリップである。
　前記各実施例にはクリップＣを図示していないが、この発明では適宜装着しうるものである。
【実施例５】
【００２０】
　図１２には、上記枢支構造に代えて、球面軸受を用いた構造の一例を示す。
　即ち、伸縮アーム部２の先端に球面軸受部４３が突設されている。
　この球面軸受部４３は、略筒状からなって後述の軸部４７を通すスリット４３ａを有し内部に球体を受ける球面状の凹部４４と、球面を受ける受面を有するリテーナ４５と、該リテーナー４５を球面に押しつける方向に付勢するスプリング４６とを有している。
　一方、照明部３には基端側に軸部４７を介して球体４８が突設されている。
　従って、球体４８が凹部４４とリテーナー４５とに面接触しており、照明部３を自在の方向に変位することができる。
　また軸部４７をスリットに通すことで傾斜角度を大きく取ることができる。
　なお、図中Ｒは、電池収納部３Ａと発光保持部３Ｂにそれぞれ設けて発光保持部３Ｂを回転させるための滑り止め用ローレットである。
【実施例６】
【００２１】
　図１３には、球面軸受部４３を二連にした異なる実施例を示す。
　図１３（ａ）には、前記実施例の球体４８と球面軸受部４３との間に、独立した球面軸受部４３’の基端に軸部４７’と球体４８’を固設した中継球面軸受部４９を介在させて二重に角度調節が行えるようにしている。
　これにより、照射角度が更に広くなり用途も広がる。例えば自動車や機械の整備点検、また各種のメンテナンス用の伸縮式懐中電灯１として使用する場合、複雑に曲がった所であっても簡単に照らすことができる。
【実施例７】
【００２２】
　同様に、図１３（ｂ）では、伸縮アーム２部の先端に、軸部５７と球体５８を一体に突設しており、照明部３には同様に基端側に軸部４７を介して球体４８を突設している。
　また、上記球体５８、４８を受ける凹部を備えたプレート状の一対のジョイントカバー５３、５３が設けられている。
　そして、該ジョイントカバー５３を対向するように整合して上記球体５８、４８を両面で挟み、ネジ（蝶ネジでもよい）などの固定具５５で締め付ける構成からなっている。ネジを用いる場合は締付力の微調整が可能となる。
　これにより、上記２つの球体５８、４８がそれぞれ球面軸受された関節点となって伸縮アーム部２と照明部３とを各自回転または枢動させることができ、自在に変位可能としている。
　なお、前記ねじ５５の締め付け力で上記回転や照射角度の維持が可能となる。
　このように関節部４０は、他の異なった構造に適宜置き換えてもよい。
【実施例８】
【００２３】
　図１４には、外筒部２１の基端に磁石２７を固着した伸縮式懐中電灯１の別の実施例を示す。
　この場合、磁石２７は外筒部２１に内蔵されるものであると、外筒部２１の基端に一体に固着されるものであると問わない。
　この実施例で、照明部３に着脱可能なキャップ１０を設けた場合には、該キャップ１０は、磁石が内蔵された外筒部２１の基端、または外筒部２１の外側に固着された磁石に、着脱可能に嵌着することができるように、それぞれの径を設定することが好ましい。
　例えば、作業上で前記キャップ１０を外すことが必要となったときには、後部の磁石２７の外径をキャップ１０の内径より僅かに小さくして設ければ、後部の磁石２７に重ねて一体的に取り付けて収納することができる。
　また、上記キャップ１０に前記実施例のように磁石１７が装着されている場合には、前記外筒部側の磁石２７と磁着しうるように極性を合わせることが好ましく、これによりキャップ１０を外筒部２１に嵌着した際の磁力を高めることもできる。
【実施例９】
【００２４】
　上記実施例では、磁石を外筒部２１の基端に固定したが、照明部３に前記キャップと同様のカバー２０を一体に設け、該カバー２０に磁石１７’を装着する構造であってもよい。
　図１５では、照明部３の先端に、前記キャップ１０とほぼ同様の構造でドーナツ状の磁石１７’を内蔵した筒状のカバー２０が一体に形成されている。
　また、図示例では、図１４と同様に外筒部２１にも磁石２７が固着されているが、外筒部２１には磁石２７を固定しない構造（図示せず）であってもよい。
　その他の構造は前記実施例と同様であるので、その説明を省略する。
　このように磁石１７’や２７を固着することで、伸縮式懐中電灯１の構造を簡略化することができる。
【００２５】
　図１６に、照明部３を変位可能とした伸縮式懐中電灯１の使用の一例を示す。
　図１６（ａ）では、外筒部２１の基端側に磁石２７を設けているので、鉄板などの磁性体Ｍの上に磁着させることができる。
　この使用法は、磁石１７を内蔵したキャップ１０を外筒部２１の基端側に嵌着した場合も同じである。
　そして磁力を高めることで、磁性体Ｍがどのような姿勢であっても伸縮式懐中電灯１を磁性体Ｍ上に自立させることができる。
　そして、照明部１０の角度を自在に変えることができるので、作業者は修理などの作業に専念することができる。
【００２６】
　また図１６（ｂ）では、クリップＣを、使用者のポケットＰに掛止め、倒立させた状態で使用させる場合を示す。
　この場合も、照明部１０の角度を変えることができるので、伸縮式懐中電灯１はポケットに掛け止めたままで、修理などの作業を遂行することができる。
　上記実施例ではキャップ１０を照明部３に嵌着した場合を図示したが、装着しなくてもよい。
【００２７】
　この発明では、上記各実施例の構造に限定されるものではなく、各実施例の構造の一部を適宜に組み合わせた構造としうること勿論である。
　また、外筒部や筒状などの筒形状は、丸筒に限らず角筒も含む。
　その他、要するにこの発明の要旨を変更しない範囲で種々設計変更しうること勿論である。
【図面の簡単な説明】
【００２８】
【図１】先端にキャップ部を嵌着した状態の伸縮式懐中電灯の伸張状態を示す斜視図である。
【図２】基端にキャップ部を嵌着した状態の伸縮式懐中電灯の伸張状態を示す斜視図である。
【図３】キャップ部を分離した状態の伸縮式懐中電灯の短縮状態を示す斜視図である。
【図４】伸縮式懐中電灯の短縮状態の断面図である。
【図５】キャップ部を基端に嵌合した状態の伸縮式懐中電灯の短縮状態を示す側面図である。
【図６】キャップ部を先端に嵌合した状態の伸縮式懐中電灯の短縮状態を示す側面図である。
【図７】照明部の拡大断面図である。
【図８】キャップ部の断面図である。
【図９】異なる実施例のキャップ部を示す部分側面図である。
【図１０】異なる実施例の電池収納部を示す伸縮式懐中電灯の側面図である。
【図１１】関節部を有する伸縮式懐中電灯の側面図である。
【図１２】関節部の異なる実施例を示す要部拡大図である。
【図１３】関節部の更に異なる実施例を示す要部拡大図である。
【図１４】本体後部に磁石を固着した別の実施例の伸縮式懐中電灯の側面図である。
【図１５】照明部に磁石を固着した他の実施例の伸縮式懐中電灯の側面図である。
【図１６】（ａ）は磁性体上に伸縮式懐中電灯を起立状に磁着した側面図、（ｂ）はポケットにクリップを掛け止めて保持した伸縮式懐中電灯の側面図である。
【符号の説明】
【００２９】
　１　　伸縮式懐中電灯
　２　　伸縮アーム部
　３　　照明部
　３Ａ　電池収納部
　３Ｂ　発光保持部
　４　　ボタン電池
　５　　発光部
　６　　導体
　７　　カラー
１０　　キャップ部
１１　　第１被取付部
１２　　第２被取付部
１５　　係止突部
１６　　絞り部
１７　　磁石
１８　　透明部
１９　　ガラスやレンズ
２１　　外筒部
２７　　磁石
３１　　孔部
４０　　関節部　
【図１】
2004111375.tif 000003
【図２】
2004111375.tif 000004
【図３】
2004111375.tif 000005
【図４】
2004111375.tif 000006
【図５】
2004111375.tif 000007
【図６】
2004111375.tif 000008
【図７】
2004111375.tif 000009
【図８】
2004111375.tif 000010
【図９】
2004111375.tif 000011
【図１０】
2004111375.tif 000012
【図１１】
2004111375.tif 000013
【図１２】
2004111375.tif 000014
【図１３】
2004111375.tif 000015
【図１４】
2004111375.tif 000016
【図１５】
2004111375.tif 000017
【図１６】
2004111375.tif 000018